(57)【要約】【課題】強固な金属板を介してＩＣカードの読み取りを実現する、新規なＩＣカードリーダを提供する。【解決手段】金属板にコイルを密着させて、このコイルでＩＣカードの搬送波周波数に共振する共振回路を構成する。そして、金属板の厚みに応じて発生する位相遅れを考慮して、共振回路から変調波の検波出力に位相反転回路を介することで、ＩＣカードから得られるデータを正しく検出できる。【選択図】図３
2011028450.tif 000002
【特許請求の範囲】
【請求項１】
ＩＣカードが近接される金属板と、
前記金属板の前記ＩＣカードが近接される面とは反対の面に貼り付けられるコイルと、
前記コイルに接続されて共振回路を構成するコンデンサと、
前記コイル及び前記コンデンサに前記共振回路の共振周波数である交流信号を供給する交流信号源と、
前記コイルから得られる信号を検波する検波部と、
前記検波部の出力信号から前記ＩＣカードの出力信号を抽出するローパスフィルタと、
前記ＩＣカードの出力信号の論理を反転する反転部と
よりなるＩＣカードリーダ。
【請求項２】
前記ＩＣカードは前記コイルから搬送波電力を受け取り、情報をＡＭ変調して出力するものであり、
前記金属板は磁界が通過する際に生じる位相遅れが４５°より大きく１３５°より小さいものである、請求項１記載のＩＣカードリーダ。
【請求項３】
前記金属板は銅よりも電気抵抗率が大きく、且つ鉄よりも透磁率が小さい金属である、請求項１又は２記載のＩＣカードリーダ。
【請求項４】
ＩＣカードが近接される金属板よりなる扉と、
前記扉の、前記金属板の前記ＩＣカードが近接される面とは反対の面に貼り付けられるコイルと、
前記コイルに接続されて共振回路を構成するコンデンサと、
前記コイル及び前記コンデンサに前記共振回路の共振周波数である交流信号を供給する交流信号源と、
前記コイルから得られる信号を検波する検波部と、
前記検波部の出力信号から前記ＩＣカードの出力信号を抽出するローパスフィルタと、
前記ＩＣカードの出力信号の論理を反転する反転部と、
前記一致検出部が前記反転部の出力信号と前記カードＩＤとの一致を検出したことに基づいて前記扉の施錠を解除する開錠機構と
よりなる扉開閉装置。
【発明の詳細な説明】
【技術分野】
【０００１】
本発明は、ＩＣカードリーダ及びこれを用いた扉開閉装置に適用して好適な技術に関し、  より詳細には、金属板を介して読み取りが可能な、ＩＣカードリーダ及び扉開閉装置に関する。
【背景技術】
【０００２】
電磁波を用いて非接触にて情報の読み取りを実現するＩＣカードとＩＣカードリーダは周知である。
なお、本発明に関係すると思われる先行技術文献を特許文献１に示す。
【先行技術文献】
【特許文献】
【０００３】
【特許文献１】特開２００４−１７３２８３号公報
【発明の概要】
【発明が解決しようとする課題】
【０００４】
ＩＣカードリーダは電磁波を用いるため、情報を読み取るための読み取り面は、合成樹脂やガラス、或はセラミック等の非金属で構成しなければならない。このため、金属に比べるとどうしても機械的強度の点で劣る。しかし、金属板を用いれば、電磁波が金属板に吸収されてしまうため、現在市場に流通するＩＣカードリーダをそのまま利用することはできない。
【０００５】
特許文献１は、劣悪環境下でＲＦＩＤを読み取るための技術を開示している。但し、金属の箱は０．５ｍｍ厚のステンレス鋼で、搬送波周波数は最大５０ｋＨｚという低周波である。このため、現行のＩＣカードの規格である１２５ｋＨｚには及ばず、また機械的強度も不足している。
【０００６】
本発明はかかる点に鑑みてなされたものであり、本発明の目的は、ＩＣカードとＩＣカードリーダとの間に強固な金属板を介在させた状態でＩＣカードの読み取りを可能としたＩＣカードリーダを提供するとともに、このＩＣカードリーダを用いた金属製の扉（例えば箱の蓋）を開閉する装置を提供することにある。
【課題を解決するための手段】
【０００７】
上記課題を解決するために、本発明のＩＣカードリーダは、ＩＣカードが近接される金属板と、金属板のＩＣカードが近接される面とは反対の面に貼り付けられるコイルと、コイルに接続されて共振回路を構成するコンデンサと、コイル及びコンデンサに共振回路の共振周波数である交流信号を供給する交流信号源と、コイルから得られる信号を検波する検波部と、検波部の出力信号からＩＣカードの出力信号を抽出するローパスフィルタと、ＩＣカードの出力信号の論理を反転する反転部とよりなる。
【０００８】
また、本発明の扉開閉装置は、ＩＣカードが近接される金属板よりなる扉と、扉の、金属板の前記ＩＣカードが近接される面とは反対の面に貼り付けられるコイルと、コイルに接続されて共振回路を構成するコンデンサと、コイル及び前記コンデンサに共振回路の共振周波数である交流信号を供給する交流信号源と、コイルから得られる信号を検波する検波部と、検波部の出力信号からＩＣカードの出力信号を抽出するローパスフィルタと、ＩＣカードの出力信号の論理を反転する反転部と、一致検出部が反転部の出力信号とカードＩＤとの一致を検出したことに基づいて扉の施錠を解除する開錠機構とよりなる。
【０００９】
本発明では、箱の蓋を構成する金属板にコイルを密着させ、このコイルとコンデンサとによりＩＣカードが発生する変調波を含む搬送波周波数に共振する共振回路を構成する。そして、金属板の厚みに応じて発生する位相遅れを考慮して、共振回路からの変調波の検波出力を位相反転回路に供給して、ＩＣカードから得られるデータを正しく検出できるようにしている。
【発明の効果】
【００１０】
本発明によれば、ＩＣカードとＩＣカードリーダとの間に強固な金属板を介在させた状態でもＩＣカードの読み取りを実現することができ、更にはこのＩＣカードリーダを利用した金属製の扉（箱の蓋）の開閉を実現することができる。
【図面の簡単な説明】
【００１１】
【図１】本発明の実施形態の例である、ＩＣカードを近接して蓋が開閉される箱の全体斜視図である。
【図２】図１の蓋の裏面に設置されるコイルの全体図である。
【図３】本発明の実施形態の例である、ＩＣカードリーダのブロック図である。
【図４】図３に示したＩＣカードリーダの具体的な回路の一例を示す図である。
【図５】本発明の実施形態の例の基礎となっている位相反転の原理を説明する概略図である。
【図６】ステンレス板の厚みと電磁波の位相遅れとの関係を示すグラフである。
【発明を実施するための形態】
【００１２】
以下、本発明の実施の形態を、図１乃至図６を参照して説明する。
【００１３】
図１（ａ）及び（ｂ）は、本発明の実施形態の例である、ＩＣカードによって開閉される箱の全体斜視図である。
図１（ａ）は、箱の蓋を閉じた状態における、箱の全体斜視図である。
箱１０１は蓋１０２と容器１０３で構成されている。そして、蓋１０２と容器１０３の両方とも、周知のステンレススチールの板を板金加工することによって形成されている。ステンレスの板の厚みはおよそ１．２ｍｍである。
この箱１０１には、本発明の実施形態である、ＩＣカードリーダが内蔵されている。
【００１４】
図１（ｂ）は、箱１０１の蓋１０２が開いた状態における、箱１０１の全体斜視図である。
箱１０１の蓋１０２の裏側には、ＩＣカードリーダの一部を構成するコイルＬ１０４が貼り付けられている。コイルＬ１０４はＩＣカードリーダの回路が収納される回路部１０５に接続されている。更に、回路部１０５は周知のソレノイドアクチュエータよりなる開錠機構１０６に接続されている。
【００１５】
図１（ａ）の状態で、箱１０１の蓋１０２の上にＩＣカード１０７をかざすと、箱１０１の内部のＩＣカードリーダがＩＣカード１０７の信号を読み取り、開錠機構１０６内の図示しないソレノイドアクチュエータを駆動して、蓋１０２を開ける。
【００１６】
周知のように、ＩＣカードはＩＣカードリーダのコイルから発される電磁波で駆動され、電磁波でＩＣカードリーダに信号を返信する。
通常、電磁波は金属板を通過しないことが知られている。
しかし、本発明では、金属板の材質と厚みを選択することと、コイルＬ１０４を金属板に密着させることと、検出された信号に特別な信号処理を施すことで、ＩＣカードとＩＣカードリーダとの間に金属板を介在させた状態でのＩＣカードリーダを実現している。金属板で遮蔽されたＩＣカードを、何故本発明のＩＣカードリーダで読み取りが可能になるかについての詳細については、後述する。
【００１７】
図２（ａ）、（ｂ）及び（ｃ）は、コイルＬ１０４の全体図である。
図２（ａ）はコイルＬ１０４を横から見た図であり、図２（ｂ）は上面図であり、図２（ｃ）は斜視図である。
アクリル或はプラスチック等の板２０２ａと板２０２ｂの間に、同じくアクリル或はプラスチック等のボビン２０３が挟み込まれている。このボビン２０３に、コイルの巻線２０４が巻かれている。つまり、このコイルは周知の空心コイルである。この空心コイルが、ステンレスの板金である箱１０１の蓋１０２に貼り付けられる。
なお、板の厚みは薄ければ薄いほど望ましい。これは、コイルＬ１０４をステンレスの蓋１０２に密着させることにより、電磁波受信特性をより良好にすることができるからである。ここで、コイルＬ１０４は、巻線２０４がほどけないように樹脂等でモールド成型されていればよく、特にコイル内部に金属板を設ける必要はない。
【００１８】
図３は、本発明の実施形態の例である、ＩＣカードリーダのブロック図である。
交流信号源３０２は１２５ｋＨｚの交流を発生する。交流は正弦波でも矩形波でも良い。
交流信号源３０２には、電磁波を発生させるために、抵抗Ｒ３０３、コンデンサＣ３０４、そしてコイルＬ１０４が直列接続されている。コンデンサＣ３０４とコイルＬ１０４は直列共振回路を構成し、１２５ｋＨｚの交流においてインピーダンスが最小になるように、コンデンサＣ３０４の静電容量及びコイルＬ１０４の誘導係数（インダクタンス）が決められている。このように回路が構成されることで、コイルＬ１０４から１２５ｋＨｚの電磁波が出力される。
なお、これ以降は、コイルＬ１０４からＩＣカードに出力される１２５ｋＨｚの電磁波を「搬送波」と呼ぶこととする。
【００１９】
コイルＬ１０４は前述の通り、１．２ｍｍ厚のステンレスの蓋１０２（金属板）に密着されている。コイルＬ１０４がステンレスの蓋１０２に密着すると、コイルＬ１０４のインダクタンスは低下することが知られている。コイルＬ１０４とコンデンサＣ３０４の直列共振回路の共振周波数はコイルのインダクタンスに反比例するので、金属板（ステンレスの蓋２０２）がない状態よりも金属板がある状態の方が、共振周波数が高くなる。したがって、コイルＬ１０４を形成する際には、このインダクタンスの低下分を考慮して巻線２０４の巻き回数を多くする必要がある。
【００２０】
図１に示すように、本発明の実施の形態例では、ＩＣカード１０７がステンレスの蓋１０２を隔ててコイルＬ１０４に近接する。コイルＬ１０４は、ＩＣカード１０７からＡＭ変調された電磁波を受信する。なお、これ以降は、ＩＣカード１０７からコイルＬ１０４に返信される電磁波を「変調波」と呼ぶ。
なお、この変調波のＡＭ変調信号成分は、コイルＬ１０４から発信される搬送波１２５ｋＨｚより低い周波数であり、通常数ｋＨｚ程度とされる。
【００２１】
通常、電磁波は金属板にぶつかると、金属板の表面に渦電流が発生する。渦電流は最終的には熱となってしまい、電磁波そのものは金属板から照射されない。
また、電磁波は透磁率の高い磁性材料にぶつかると、磁性材料に吸収されてしまう。
しかし、金属板の材質と厚みによっては、コイルＬ１０４から発する電磁波が全て渦電流にならず、或は金属板に捉えられず、その一部が金属板を透過することができる。但し、この金属板を透過することができる電磁波は、非常に微弱な交流磁界であり、距離の二乗に反比例して減衰する。これを確認するため、発明者らが、コイルＬ１０４をステンレス板から僅かな距離（例えば５ｍｍ程度）浮かせて同様の実験を行ったところ、ＩＣカード１０７を読み取ることができなくなってしまった。このことから、本発明の実施形態においては、コイルＬ１０４をステンレスの蓋１０２に接触して配置することが極めて重要な意味を持つことが分かる。
【００２２】
上述したように、本発明の実施形態においては、コイルＬ１０４をステンレスの蓋１０２に接触して配置することにより、コイルＬ１０４とコンデンサＣ３０４の接続点からは、搬送波と変調波の合成信号が得られる。この合成信号は、図３に示されるように、検波部３０５に送られ、検波される。ここで、ＩＣカード１０７から送信される変調波は、ＡＭ変調された波形なので、検波部３０５の具体的な回路としては、周知のダイオード検波等が利用可能である（図４で後述）。
なお、合成信号に含まれる搬送波の信号成分は極めて大きな振幅であるのに対し、変調波の信号成分はステンレス板によって大幅に減衰された、極めて微弱な振幅である。
【００２３】
検波部３０５から出力される信号は、周知のローパスフィルタ（以下「ＬＰＦ」）３０６に入力される。ＬＰＦ３０６は、入力される信号から搬送波の成分である１２５ｋＨｚの信号を阻止し、ＡＭ変調信号成分である数ｋＨｚの信号のみ通過させる。
このＬＰＦ３０６からの出力信号は、増幅及び波形整形部３０７に送られ、ここで増幅と波形整形がなされる。上述の通り、変調波の信号成分は極めて微弱であるので、ＩＣカードの識別番号を正確に認識するためにも、増幅及び波形整形部３０７において適切な電圧に増幅することが必要である。
また、ＡＭ変調信号は元々デジタル信号であり、最終的には「０」と「１」を表現するデジタル信号に変換する必要があるので、シュミットトリガ等を用いてマイコン等のコンピュータが扱い易い矩形波形状の信号に直す必要がある。
【００２４】
増幅及び波形整形部３０７からの信号は、図３の反転部３０８に送られる。この反転部３０８は、「０」と「１」を反転させる回路である。つまり、増幅及び波形整形部３０７が出力する信号は、電圧の高低で「０」と「１」を表しているので、反転部３０８はこの電圧の論理を反転させる。
この反転部３０８を設ける理由は以下の通りである。コイルＬ１０４から出力される搬送波は、ステンレス板を通過するとおよそ９０°位相が遅れる。そしてＩＣカード１０７が返信する変調波も、ステンレス板を通過しておよそ９０°位相が遅れる。つまり、変調波には合わせておよそ１８０°の位相遅れが含まれる。反転部３０８は、この位相遅れによって反転した信号の論理を元に戻すために設けられている。
なお、位相遅れの詳細については後述する。
【００２５】
反転部３０８で位相反転された信号は一致検出部３０９に送られる。一致検出部３０９は、例えばマイコンで構成され、ＲＯＭに格納されているカードＩＤ３１０を読み取り、反転部３０８から出力されるシリアルのデジタルデータと比較し、一致しているか否かを判定する。一致していれば、ブザー３１１を鳴らし、ドライバ３１２に駆動制御信号を出力する。ドライバ３１２は、トランジスタスイッチ等で構成され、駆動制御信号でオン動作し、ソレノイドアクチュエータ３１３を駆動する。
【００２６】
図４は、ＩＣカードリーダ３０１の回路の具体例である。すなわち、図３の、検波部３０５、ＬＰＦ３０６、増幅及び波形整形部３０７、そして反転部３０８までの回路を、より具体的な回路素子で実装した一例である。
ダイオードＤ４０２は、検波部３０５を構成するものであり、ＡＭ復調回路としての周知のダイオード検波を行う。
ダイオードＤ４０２のカソードには、コンデンサＣ４０３と抵抗Ｒ４０４とコンデンサＣ４０５が接続されている。これらはπ型のＬＰＦであり、図３のＬＰＦ３０６を構成する。また、コンデンサＣ４０３には、蓄積された電荷を放電するために抵抗Ｒ４０６が並列接続されている。
【００２７】
ダイオード検波によって半波整流された信号は、ＬＰＦ３０６によって平滑されることにより、高い電圧の直流成分を含んでいる。そこで、カップリングコンデンサＣ４０７で直流成分を遮断する。
カップリングコンデンサＣ４０７の出力信号は、抵抗Ｒ４０８を通じて、第一段のオペアンプ４０９のプラス側入力端子に接続される。第一段のオペアンプ４０９は非反転増幅器を構成すると共に、マイナス側入力端子と出力端子の間に接続されている帰還抵抗Ｒ４１２とダイオードＤ４１３及びＤ４１４によって出力信号がクリップし、矩形波の信号に近くなる。
つまり、第一段のオペアンプ４０９は、非反転増幅器と波形整形回路を兼用しているので、増幅及び波形整形部３０７の機能を提供する。
なお、第一段のオペアンプ４０９のプラス側入力端子に接続されているコンデンサＣ４１０は、抵抗Ｒ４０８と併せてＬＰＦ３０６の機能を提供する。
【００２８】
第一段のオペアンプ４０９の出力信号は、抵抗Ｒ４１５を介して第二段のオペアンプ４１６のマイナス側入力端子に接続される。第二段のオペアンプ４１６は反転増幅器を構成し、第一段のオペアンプ４０９では不足していた増幅率を補うと共に、信号の論理を反転させる。つまり、第二段のオペアンプ４１６は、反転増幅器であるが故に、増幅及び波形整形部３０７の機能の一部を提供すると共に、図３の反転部３０８の機能をも提供する。
【００２９】
第二段のオペアンプ４１６の出力信号は、周知のシュミットトリガ回路４１８に入力され、波形整形が行われる。このシュミットトリガ４１８は、図３の増幅及び波形整形部３０７の機能を提供するものである。
なお、図３では反転部３０８の前段に増幅及び波形整形部３０７が設けられているが、ＬＰＦ３０６以降の増幅及び波形整形部３０７と反転部３０８は、その順番等が必ずしも一致していなければならない訳ではなく、その機能が満たされれば順番等は問わない。勿論、回路の機能も分離されている必要はなく、周知の設計の範囲で複合的に構成することが可能である。
【００３０】
図５は、位相反転の原理を説明する概略図である。
コイルＬ１０４から出力される電磁波（搬送波）は、ステンレスの蓋１０２を隔ててＩＣカード１０７のコイルＬ５０２に到達する。ＩＣカード１０７の中には、コンデンサＣ５０３とスイッチ５０４がコイルＬ５０２と並列に接続されている。スイッチ５０４は図示しないＲＯＭを含む制御回路によって駆動され、ＲＯＭに書き込まれているＩＤ情報のパターンにてオン・オフ制御される。
このＩＤ情報が、図３に示すカードＩＤ３１０の内容と等しい場合には、ソレノイドアクチュエータ３１３が駆動され、箱１０１が開錠される。
【００３１】
スイッチ５０４がオフの状態ではコンデンサＣ５０３とコイルＬ５０２が並列共振回路を構成する。この並列共振回路は、ステンレス板を通してコイルＬ１０４から発される１２５ｋＨｚの交流磁界を受けて共振し、同様に１２５ｋＨｚの交流磁界を発する。
スイッチ５０４がオンの状態ではスイッチ５０４がコンデンサＣ５０３とコイルＬ５０２との端子間をショートするため、並列共振回路が成り立たなくなる。したがって、コイルＬ５０２から１２５ｋＨｚの交流磁界は発されない。
以上のように、スイッチ５０４のオン・オフによってＩＣカード１０７から１２５ｋＨｚのＡＭ変調された交流磁界が発生する。
【００３２】
ＩＣカード１０７のコイルＬ５０２から発される電磁波（変調波）は、ステンレス板を隔ててＩＣカードリーダ３０１側のコイルＬ１０４に到達する。コイルＬ１０４は搬送波と変調波が混合された信号が出力される。
ダイオードＤ４０２以降の信号の処理については、既に図４にて説明しているのでその説明を割愛する。
【００３３】
電磁波が金属板を通過すると、位相の遅れが発生する。この位相遅れは、金属板の材質と厚みに依存することが、発明者の実験結果より判明している。金属板の厚みが薄くなると位相遅れ角度は小さくなり、逆に厚くなると位相遅れ角度が大きくなる。
電磁波は、コイルＬ１０４からコイルＬ５０２へ伝達する時に金属板を通過して、位相の遅れが発生する。そして、コイルＬ５０２からコイルＬ１０４へ伝達して戻る時に再び金属板を通過して、位相の遅れが発生する。つまり、電磁波がＩＣカードリーダ３０１のコイルＬ５０２を介して往復する際に、位相遅れが二回発生する。
【００３４】
図６は、ステンレス板の厚みと電磁波の位相遅れとの関係を示すグラフである。実際に、発明者が厚み０ｍｍから３．０ｍｍまでの厚みのステンレス板を入手して、オシロスコープを用いて位相遅れを計測した結果である。
ステンレス板の厚みが１ｍｍの場合、およそ８２°程度の位相遅れが発生することが判る。
図５で説明したように、ＩＣカードリーダ３０１の信号処理では、電磁波が金属板を往復することで、電磁波に生じる位相遅れが二倍になるので、合わせて１６４°程度の位相遅れが発生すると考えられる。
【００３５】
次に、金属板の位相遅れと信号処理について考察する。
（１）ダイオードＤ４０２に入力される信号には、二つの信号が含まれる。それぞれは同一の周波数でありながら、一方は微弱で、且つ位相が所定の角度だけずれている。
搬送波をＡｓｉｎθ、変調波をＢｓｉｎ（θ＋α）とする。αは電磁波が金属板を往復した結果の位相遅れである。
また、Ｂｓｉｎ（θ＋α）は、振幅がＢの時と、Ｂ′の時があるとする。これはＩＣカード１０７の変調波を想定している。
【００３６】
変調波であるＢｓｉｎ（θ＋α）の振幅が搬送波Ａｓｉｎθより遥かに微弱であることを考慮すると、ダイオードＤ４０２から得られる信号を積分する、ということは、搬送波Ａｓｉｎθを０°から１８０°まで定積分することと等価とみなしてよいと思われる。
そこで、以下のように計算してみる。
【００３７】
【数１】
2011028450.tif 000003
【００３８】
上記の式より、位相遅れαが０°、或は１８０°のとき、変調波であるＢの項の値は最大になることが判る。逆に、位相遅れが９０°、或は２７０°のとき、Ｂの項の値は最小、つまりゼロになり、変調波が全く検出できなくなる。
また、位相遅れが９０°より大きく、２７０°より小さい場合には、Ｂの項の値は負の値になる。したがって、変調波の論理を反転させる必要が生じる。これが、反転部３０８を設ける理由である。
【００３９】
前述の通り、位相遅れは９０°より大きく、２７０°より小さいときに、変調波の検出が可能になると共に、反転部３０８が必要になる。
図６を参照すると、金属板の遅れ角度は４５°より大きく、１３５°より小さいことが求められることがわかる。
【００４０】
（２）なお、搬送波と変調波の振幅が等しい場合には、別の考察が考えられる。
搬送波と変調波の振幅が等しい場合、変極点はｓｉｎθ＝０．５の時、すなわち角度θは３０°或は１５０°になると考えられる。搬送波の位相が３０°、変調波の位相が１５０°のとき、その位相差は１５０°−３０°＝１２０°となる。これに加え、１８０°＋３０°＋３０°＝２４０°が、変調波が全く検出できなくなる角度になると考えられる。この場合、金属板の遅れ角度は６０°より大きく、１２０°より小さいことが求められることとなる。
【００４１】
最後に、金属板の材質について説明する。
前述の通り、金属板に交流磁界を与えると、金属板の表面に渦電流が発生し、交流磁界は減衰してしまう。この減衰が小さければ小さいほど、金属板を通過できる交流磁界が強くなる。そこで、本実施形態のＩＣカードリーダ３０１を適用可能な金属板には、以下の特性が求められる。
（１）透磁率（μ）が小さいこと。
およそ１に近い値が望ましい。透磁率が大きいと、磁力線の大部分が金属板に捉えられ、金属板表面に拡散してしまい、金属板を通過できなくなってしまうからである。
（２）電気抵抗率（ρ）が大きいこと。
つまり、渦電流が発生し難いことが求められる。
以上の特性を備える金属としては、上述の実施形態にて開示したステンレス鋼以外では、白銅（銅−ニッケル合金）、チタン等が挙げられる。なお、ステンレス鋼は金属組織で幾つかの種類に分類されるが、その中で磁性材であるフェライト系は好ましくない。
銅やアルミニウム等は電気抵抗率が小さく、鉄やコバルト等は透磁率が大きいので、本実施形態の用途には向いていない。
【００４２】
本発明は、以下の応用例が考えられる。
（１）図３及び図４では、ＩＣカードリーダ３０１を直列共振回路で構成していたが、並列共振回路であってもよい。直列共振回路では電流駆動で電磁波を発していたが、並列共振回路の場合では電圧駆動となる。また、検波部３０５であるダイオードＤ４０２は、図４と同様に、並列共振回路を構成するコイルとコンデンサとの接続点に接続される。
【００４３】
本実施形態においては、ＩＣカードリーダ３０１を開示した。
透磁率μが小さく、且つ電気抵抗率ρが大きい金属板にコイルＬ１０４を密着させて、このコイルＬ１０４でＩＣカード１０７の搬送波周波数に共振する直列共振回路を構成する。そして、金属板の厚みに応じて発生する位相遅れを考慮して、直列共振回路から変調波の検波出力に位相反転回路を介することで、ＩＣカード１０７から得られるデータを正しく検出できる。
【００４４】
以上、本発明の実施形態例について説明したが、本発明は上記実施形態例に限定されるものではなく、特許請求の範囲に記載した本発明の要旨を逸脱しない限りにおいて、他の変形例、応用例を含む。
【符号の説明】
【００４５】
１０１…箱、１０２…蓋、１０３…容器、Ｌ１０４…コイル、１０５…回路部、１０６…開錠機構、１０７…ＩＣカード、２０２ａ、２０２ｂ…板、２０３…ボビン、２０４…巻線、３０２…交流信号源、Ｒ３０３…抵抗、Ｃ３０４…コンデンサ、３０５…検波部、３０６…ＬＰＦ、３０７…増幅及び波形整形部、３０８…反転部、３０９…一致検出部、３１０…カードＩＤ、３１１…ブザー、３１２…ドライバ、３１３…ソレノイドアクチュエータ、Ｄ４０２…ダイオード、Ｃ４０３…コンデンサ、Ｒ４０４…抵抗、Ｃ４０５…コンデンサ、Ｒ４０６…抵抗、Ｃ４０７…カップリングコンデンサ、Ｒ４０８…抵抗、４０９…オペアンプ、Ｒ４１２…帰還抵抗、Ｄ４１３、Ｄ４１４…ダイオード、Ｃ４１０…コンデンサ、Ｒ４１５…抵抗、４１６…オペアンプ、４１８…シュミットトリガ、Ｌ５０２…コイル、Ｃ５０３…コンデンサ、５０４…スイッチ
【図１】
2011028450.tif 000004
【図２】
2011028450.tif 000005
【図３】
2011028450.tif 000006
【図４】
2011028450.tif 000007
【図５】
2011028450.tif 000008
【図６】
2011028450.tif 000009